(57)【要約】【課題】  小さな力で粘土を型から押し出せるものとし、且つ、シリンダー内の清掃を容易にするシリンダーを備えた小型の粘土成形玩具を提供する。【解決手段】  本発明は、円柱部に螺子山を有する押圧部材と、この押圧部材を回転挿入するシリンダーを形成する内筒体及び外筒体と、内筒体の先端部に係合設置される成形孔を備えたキャップを有しており、内筒体は第１部材と第２部材から構成され内筒体を分解することのできる粘土成形玩具とするものである。【選択図】      図１
2006115941.tif 000002
【特許請求の範囲】
【請求項１】
円柱部に螺子山を有する押圧部材と、この押圧部材を回転挿入するシリンダーを形成する内筒体及び外筒体と、内筒体の先端部に係合設置される成形孔を備えたキャップとで構成されることを特徴とする、粘土成形玩具。
【請求項２】
半円筒形の第１部材と第２部材とを係合して内筒体を形成し、該内筒体が外筒体の内部に挿入されていることを特徴とする請求項１に記載した粘土成形玩具。
【請求項３】
内筒体の先端部に異なる形状の成形孔を有する複数のキャップが着脱交換可能とされていることを特徴とする請求項１又は２に記載した粘土成形玩具。
【請求項４】
押圧部材の先端部にシリンダー内径と略一致した円盤状の押出部材が設置されていることを特徴とする請求項１乃至３の何れかに記載した粘土成形玩具。
【発明の詳細な説明】
【技術分野】
【０００１】
本発明は、粘土を押し出すことにより成形して遊ぶ玩具に関するものである。
【背景技術】
【０００２】
今日、粘土成形玩具は、内部が中空であるシリンダーの内部に粘土を挿入し、粘土を押し出すための押圧部材をシリンダーの内部に挿入し、シリンダーの先端の成形孔より粘土を押し出して成形するものが多く用いられている。
そしてレバーの一端と本体の一端とをピンにより開閉可能に結合し、本体部には粘土を収納するシリンダー部を設け、レバーには連結杆を介したプランジャーを設けてシリンダー部にプランジャーを挿入可能としたものがある。これはシリンダー部に粘土を挿入してプランジャーでシリンダー部を閉じ、レバーの後瑞及び本体の後瑞を力点としてこれを握ることにより、ピンを支点とし、作用点となるプランジャーで、挺子の原理により小さな力でシリンダー内の粘土を成形孔から押し出すものである。例えば特許文献１のものである。
また支点となるピンにより、基台へ回転自在に取り付けられたハンドルを力点とし、シリンダー内の粘土を作用点となる押出部により押出できるようにし、この押出部をハンドルの回転軸近くに設けたものがある。これも挺子の原理により小さな力で粘土の押し出しを可能としているものである。例えば文献２のものである。
【特許文献１】実開  平３−１４２３２
【特許文献２】実開  昭４８−４３７９６
【発明の開示】
【発明が解決しようとする課題】
【０００３】
前述のように挺子を利用することにより小さな力で押し出すことのできる粘土成形玩具が考案されているも、装置が大型となり玩具としては適さない欠点があった。また、シリンダー内に残った粘土を清掃することが困難であった。
本発明は、このような欠点を排除し、小さな力で粘土を型から押し出せるものとし、且つ、シリンダー内の清掃を容易にするシリンダーを備えた粘土成形玩具を提供するものである。
【課題を解決するための手段】
【０００４】
本発明は、円柱部に螺子山を有する押圧部材と、この押圧部材を回転挿入するシリンダーを形成する内筒体と、内筒体を覆う外筒体と、内筒体の先端部に係合設置される成形孔を備えたキャップを有している粘土成形玩具とするものである。
このように、螺子山を有する押圧部材を回転させることで、内筒体の内側面に形成された突起に誘導され押圧部材の回転方向の運動が挿入方向の運動に変わり、押圧部材を内筒体に回転挿入することで、小さな力で粘土を型から押し出すことができる。
【０００５】
また、内筒体は２つの部材から構成され、外筒体に挿入してシリンダーを形成するため、該シリンダーは分解することが可能となっている。
【０００６】
また、内筒体の先端部に係合設置されているキャップによって、内筒体に形成された鉤型の溝とキャップの側壁の内側に形成される突起が嵌合し、内筒体と外筒体が係合される。そのため異なる形状の成形孔を有する複数のキャップと着脱交換することにより、成形孔の形状を異なるものに変えることができる。
【０００７】
更に、押圧部材の先端部にシリンダー内径と略同一径の円柱状の押出部材を設置することで、押圧部材の回転が粘土に伝わることを遮断し粘土の変形を防ぐことが出来る。
【発明の効果】
【０００８】
請求項１に記載した本発明は、円柱部に螺子山を有する押圧部材と、この押圧部材を回転挿入するシリンダーを形成する内筒体及び外筒体と、内筒体の先端部に係合設置される成形孔を備えたキャップを有する粘土成形玩具とするものである。従って、小さな力で粘土を押し出すことができ、その構造を単純としつつ小さなものにすることが可能である。
【０００９】
また、請求項２に記載した本発明は、第１部材と第２部材とを係合して内筒体を形成し、該内筒体が外筒体の内部に挿入されている粘土成形玩具とするものである。従って、内筒体が分割可能となることから内部の清掃が容易となる。
【００１０】
また、請求項３に記載した本発明は、内筒体の先端部に異なる形状の成形孔を有する複数のキャップを着脱交換可能である粘土成形玩具とするものである。従って、キャップの交換により様々な形状に粘土を押し出すように粘土の成形を行って楽しむことができる。
【００１１】
更に、請求項４に記載した本発明は、孔が穿設された押圧部材の先端部にシリンダー内径と略一致した円盤状の押出部材を設置する粘土成形玩具とするものである。従って、押圧部材の回転が粘土に伝わることを遮断し粘土が混ざることを防止でき、より小さな力で粘土を押し出すことが出来る。
【発明を実施するための最良の形態】
【００１２】
本発明は、円柱部の外周に螺子山を有する押圧部材と、この押圧部材を回転挿入するシリンダーを形成する内筒体及び外筒体からなり、内筒体は、これを分割するために半円筒形の第１部材と第２部材とを係合して内筒体を形成することとし、該内筒体を外筒体の内部に挿入してシリンダーを形成する粘土成形玩具である。また、内筒体の先端部には、異なる形状の成形孔を有する複数のキャップを着脱交換可能とするため、シリンダー下端に取り付け部を形成することが好ましい。
【実施例】
【００１３】
本発明にかかる粘土成形玩具１０は、図１及び図２に示すように、押圧部材１１と、この押圧部材１１を挿入する内筒体１７を形成する第１部材１８及び第２部材１９と、第１部材１８及び第２部材１９の外周を覆う外筒体２９と、第１部材１８及び第２部材１９の先端部に設置されるキャップ３３からなる。
【００１４】
押圧部材１１は、図１に示すように、円筒形の本体部を有し、本体部の外周に螺子山１２を有しており、本体部の上端には楕円形の鍔１４を有している。また、本体部の先端外周には環状の突起１３を有しており、全体が樹脂で形成される。
【００１５】
そして押圧部材１１を回転挿入するシリンダー１６は、図３に示すように内筒体１７と外筒体２９から成る。内筒体１７は、図1及び図２に示すように、第１部材１８と第2部材１９から成る。第１部材１８は半円形の円筒形状であって上端部に中心軸を同じくする鍔２０を有し、内側面には上端近くに突起２１を有しており、この突起２１と押圧部材１１の螺子山１２と係合させることができる。更に、下端部に鉤型の溝２５と溝２５内部に小突起２７を有している。第２部材１９は第１部材１８と同形状である。又、内筒体１７の外周を覆うように取り付ける外筒体２９は、図１及び図３に示すように、外筒体２９の上端の円周部に切り欠き部３１を有する、筒体状としている。
【００１６】
内筒体１７の先端部に取り付けるキャップ３３は、図２に示すように、円筒形の側壁と平板状の底部を有している。該側壁の外側に凹凸４１を形成し、底部中央に成形孔３５が穿設されており、側壁の内側には向かい合う一対の突起体３７を有している。
【００１７】
図２に示すように、第１部材１８と第２部材１９を係合し内筒体１７を組立てる。その際、押圧部材１１を両部材の間に挟み押圧部材１１を内筒体１７に組み込む。また、図４に示すように、該内筒体１７を外筒体２９の中空部に挿入することで内筒体１７を外筒体２９で覆う。更に図５に示すように、外筒体２９の下端からはみ出した内筒体１７の溝２５と、キャップ３３の内側面の突起体３７を嵌合させ、キャップ３３を内筒体１７にその中心軸を同じくして固定し、組立が完成する。（図６参照）。
【００１８】
このように、本実施の形態における粘土形成玩具は、図６に示すように、円柱部に螺子山１２を有する押圧部材１１と、この押圧部材１１を回転挿入するシリンダー１６を形成する内筒体１７及び外筒体２９と、内筒体１７の先端部に係合設置される成形孔３５を備えたキャップ３３を有しており、内筒体１７は第１部材１８と第２部材１９とを係合してシリンダー１６を形成し、第１部材１８と第２部材１９とが外筒体２９の内部に挿入されシリンダー１６を形成し、内筒体１７の先端部に異なる形状の成形孔３５を有するキャップ３３を着脱交換が可能であり、押圧部材１１の先端部に押出部材４５を設置させるものである。
【００１９】
従って、押圧部材１１と内筒体１７、外筒体２９とキャップ３３から成る粘土形成玩具であって、押圧部材１１の螺子山により内筒体１７に回転圧入することで、小さな力で押圧部材１１を回転圧入することができ小さな子供でも楽に遊ぶことができ、その構造を小さなものとすることができる。また内筒体１７は第１部材１８と第２部材１９の二部材から構成されることから分解が可能で、内部の清掃が容易となっているものである。キャップ３３を交換することで、異なる形状の成形孔３５により様々な粘土の成形を行うことができる。尚、本実施例においてキャップ３３は星型をしているが、図８のように星型に限らず、波型、円形、四角形、三角形等でもよい。これにより様々な粘土の成形を楽しむことができる。
【００２０】
そして図７に示すように、押圧部材１１を回転させることで、内筒体１７の内側面に形成された突起２１と螺子山１２が噛合い、押圧部材１１を回転挿入することができる。又、反時計方向に回転させると押圧部材１１を引き抜くことができる。また、螺子山の下端部が閉合しており、押圧部材１１を引き抜く時に該下端部が突起２１に引っ掛かることで押圧部材１１が抜けることを防止している。そして、押圧部材１１の先端部に環状の突起１３が形成され、該突起１３は内筒体１７の先端部の突起に引っ掛かることで、押圧部材１１により内筒体１７の先端部に嵌合されるキャップ３３が押圧されることを防ぎ、キャップ３３が脱落することを防止している。また、押圧部材１１の上端部に半楕円形の鍔２０を形成しており、押圧部材１１が持ちやすくなり、小さな力で押圧部材１１を回転挿入することを可能としている。また、外筒体２９が内筒体１７の外周を覆うことで内筒体１７について第１部材１８と第２部材１９が離れることを防止している。更に外筒体２９の切り欠き部３１と内筒体１７の凸突起２３が嵌合することで、外筒体と内筒体が円周方向にずれることを防止している。また、溝１５の内部に形成された小突起２７とキャップ３３の突起体３７が嵌合し、キャップ３３が簡単に外れないものとしている。側壁３８に形成された等間隔の凹凸４１は、キャップ３３を着脱する際に滑り止めの役割を果たし、粘土の油が手についていても滑らずに容易にキャップの着脱を行うことができる。
【００２１】
本発明を使用するには、図４に示すように、まず押圧部材１１、内筒体１７、外筒体２９を組立てる。次に内筒体１７の下端の開口部から粘土４３を内筒体１７の中空部に入れ、図５に示すようにキャップ３３により開口部を閉じ、最後にキャップ３３を内筒体１７に固定する。そして図７に示すように、押圧部材１１を回転挿入すると押圧部材１１の底部が粘土４３を押圧し、キャップ３３の成形孔３５から押し出され、粘土４３を棒状として、成形孔３５の形に成形することができ、粘土遊びを楽しむことができる。
【００２２】
また、螺子山１２の下端部が閉合しており、押圧部材１１を引き抜くと該下端部が突起２１に引っ掛かることで押圧部材１１が抜けることを防止しているが、螺子山の下端部を開放することで突起２１に引っ掛からないこととし、押圧部材１１が抜けることとしてもよい。このとき、押圧部材１１をシリンダー１６の上端開口部から挿入することができるため、前述の組立手順によらなくとも組立が可能となる。
【００２３】
また、押出部材４５を取り付けるために押圧部材１１の先端底部の略中心に係止孔１５を穿設することもある。この該係止孔１５に係止する押出部材４５は図９に示すように、押圧部材１１の円筒部の外径と略同じ径である円形の押出板４７と、この押出板４７の中心に押出板に対して垂直に突出する係止ピン４９を有し、その該係止ピン４９の先端部には膨出部５１を有する。そして押圧部材１１の先端部の係止孔１５に押出部材４５の係止ピン４９を挿入することで押出部材４５を係止設置し、押圧部材１１の回転が粘土４３に伝わることを遮断することにより、粘土４３が混ざることを防止できる。これにより力のロスがなくなり、より小さな力で粘土を押し出すことができる。
【図面の簡単な説明】
【００２４】
【図１】粘土成形玩具の分解図
【図２】内筒体組立図とキャップ
【図３】シリンダーの斜視図
【図４】外筒体に内筒体を挿入する際の組立図
【図５】内筒体にキャップを組み込む際の組立図
【図６】本発明に係る粘土成形玩具の斜視図
【図７】本発明に係る粘土成形玩具の実施例を示す斜視図
【図８】本発明に係る粘土成形玩具のキャップの実施例を示す斜視図
【図９】押圧部材先端部に設置する押出部材の断面図
【符号の説明】
【００２５】
１０  粘土成形玩具
１１  押圧部材
１２  螺子山        １３  突起
１４  鍔        １５  係止孔
１６  シリンダー
１７  内筒体
１８  第１部材        １９  第２部材
２０  鍔
２１  突起        ２３  凸突起
２５  溝        ２７  小突起
２９  外筒体        ３１  切り欠き部
３３  キャップ
３５  成形孔        ３７  突起体
３８  側壁        ４１  凹凸
４３  粘土
４５  押出部材
４７  押出板        ４９  係止ピン
５１  膨出部
【図１】
2006115941.tif 000003
【図２】
2006115941.tif 000004
【図３】
2006115941.tif 000005
【図４】
2006115941.tif 000006
【図５】
2006115941.tif 000007
【図６】
2006115941.tif 000008
【図７】
2006115941.tif 000009
【図８】
2006115941.tif 000010
【図９】
2006115941.tif 000011